(57)【要約】【課題】利用者を容易に判別して適する広告を表示するエレベータ広告装置を得る。【解決手段】エレベータ広告装置は、エレベータのかご内のディスプレイに広告を表示するエレベータ広告装置において、上記かごの乗降口を乗り降りする乗客が一部を遮る複数の赤外線ビームを投受光するマルチビームセンサと、上記赤外線ビームが予め定められた時間以上に連続して遮られたとき老人向けの広告を上記ディスプレイに表示するコンテンツ制御装置と、を備える。【選択図】図１
2011020821.tif 000002
【特許請求の範囲】
【請求項１】
エレベータのかご内のディスプレイに広告を表示するエレベータ広告装置において、
上記かごの乗降口を乗り降りする乗客が一部を遮る複数の赤外線ビームを投受光するマルチビームセンサと、
上記赤外線ビームが予め定められた時間以上に連続して遮られたとき老人向けの広告を上記ディスプレイに表示するコンテンツ制御装置と、
を備えることを特徴とするエレベータ広告装置。
【請求項２】
上記複数の赤外線ビームは、上記乗降口の敷居から桟の間に配列されており、
上記コンテンツ制御装置は、上記乗降口の敷居から予め定められた高さ以上の上記赤外線ビームが遮られていないとき子供向けの広告を上記ディスプレイに表示することを特徴とする請求項１に記載のエレベータ広告装置。
【請求項３】
上記かごの床を乗客が占める割合を求めることのできる画像を撮影する電子カメラを備え、
上記コンテンツ制御装置は、上記割合が予め定められた値以上のとき通常の広告を上記ディスプレイに表示することを特徴とする請求項１または２に記載のエレベータ広告装置。
【発明の詳細な説明】
【技術分野】
【０００１】
この発明は、エレベータのかご内で乗客に広告を提供するエレベータ広告装置に関するものである。
【背景技術】
【０００２】
従来のエレベータ広告装置は、マンション等に設置されたエレベータのかご内部に設けられた表示器を通じて、マンションの住人等に、マンションの近隣にあるスーパーの広告や、その他のニュース、地域の天気予報などの各種の情報を提供する（例えば、特許文献１参照）。
【先行技術文献】
【特許文献】
【０００３】
【特許文献１】特開２００２−１０４７４７号公報
【発明の概要】
【発明が解決しようとする課題】
【０００４】
しかし、エレベータのかご内ディスプレイを活用した広告は利用者によらず一律なものを表示している。そこで、利用者に応じて広告を選択して表示した方が広告効果が高いが、利用者を特定するために、ＩＣタグを利用すると、利用者にＩＣタグを携帯して貰わなければならないし、ＩＣタグリーダを設置しなければならないなど容易に利用することができない。
【０００５】
この発明は、前記のような課題を解決するためになされたものであり、利用者を容易に判別して適する広告を表示するエレベータ広告装置を得ることを目的とする。
【課題を解決するための手段】
【０００６】
この発明に係るエレベータ広告装置は、エレベータのかご内のディスプレイに広告を表示するエレベータ広告装置において、上記かごの乗降口を乗り降りする乗客が一部を遮る複数の赤外線ビームを投受光するマルチビームセンサと、上記赤外線ビームが予め定められた時間以上に連続して遮られたとき老人向けの広告を上記ディスプレイに表示するコンテンツ制御装置と、を備える。
【０００７】
また、この発明に係るエレベータ広告装置は、上記複数の赤外線ビームは、上記乗降口の敷居から桟の間に配列されており、上記コンテンツ制御装置は、上記乗降口の敷居から予め定められた高さ以上の上記赤外線ビームが遮られていないとき子供向けの広告を上記ディスプレイに表示する。
【発明の効果】
【０００８】
この発明に係るエレベータ広告装置は、マルチビームセンサから出力される受光信号から乗り込んだ乗客の身長、または移動速度を求め、身長から子供か大人を判定し、移動速度から壮年以下か老人かを判定し、判定結果に基づいてかご内ディスプレイに表示するコンテンツを選択するので、乗客にＩＣタグなどの識別媒体を携帯して貰わなくても乗客に対応するコンテンツを広告することができるという効果を奏する。
【図面の簡単な説明】
【０００９】
【図１】この発明の実施の形態に係るエレベータ広告装置の全体構成図である。
【図２】マルチビーム投光器からの赤外線ビームが人により遮られる様子を示す図である。
【図３】この発明の実施の形態に係るコンテンツ制御装置のブロック図である。
【図４】大人が乗り込んだときに検知テーブルに記憶されたデータを説明するための図である。
【図５】老人が乗り込んだときに検知テーブルに記憶されたデータを説明するための図である。
【図６】この発明の実施の形態に係るエレベータ広告装置でコンテンツを可変する手順を示すフローチャートである。
【発明を実施するための形態】
【００１０】
以下、本発明のエレベータ広告装置の好適な実施の形態につき図面を用いて説明する。
図１は、この発明の実施の形態に係るエレベータ広告装置の全体構成図である。図２は、マルチビーム投光器からの赤外線ビームが人により遮られる様子を示す図である。図３は、この発明の実施の形態に係るコンテンツ制御装置のブロック図である。
【００１１】
この発明の実施の形態に係るエレベータ広告装置１は、エレベータ制御装置２により制御されているエレベータに配備されている。そして、エレベータ広告装置１は、エレベータかご３の扉４の外側に固定されているマルチビーム投光器５およびマルチビーム受光器６からなるマルチビームセンサ７、エレベータかご３の壁の内側に固定されているかご内ディスプレイ８、エレベータかご３内を撮影する電子カメラ９、マルチビームセンサ７からの信号および電子カメラ９が撮影した画像データとからかご内ディスプレイ８に表示するコンテンツを制御するコンテンツ制御装置１０を備える。
【００１２】
マルチビーム投光器５は、エレベータかご３の両開きの扉４の一方の戸４ａの外側側面に固定されている。そして、マルチビーム投光器５は、上下方向に１ｃｍピッチで１９４個の図示しない赤外線発光ダイオードが配列され、赤外線発光ダイオードは投光軸が扉４の開閉方向（図２では水平方向）に他方の戸４ｂに向いており、その投光軸に沿って赤外線ビームを投光する。すなわち、１９４本の赤外線ビームが投光される。
マルチビーム受光器６は、他方の戸４ｂの外側側面に固定されている。そして、マルチビーム受光器６は、マルチビーム投光器５の赤外線発光ダイオードから投光された赤外線ビームを受光できるように、投光軸に受光軸が合わされ、上下方向に１ｃｍピッチで１９４個の図示しない赤外線ホトセンサが配列されている。
【００１３】
そして、扉４が開けられ始めるとマルチビーム投光器５から１９４本の赤外線ビームが投光され、両方の戸４ａ、４ｂの間に人、動物、荷物、台車、車いすなど障害物が無ければ、マルチビーム受光器６が赤外線ビームを受光し１９４個の出力ポートから１９４個の受光信号を出力する。逆に障害物が有ると、図２に示すように、障害物により赤外線ビームの内のいずれかが遮蔽されてマルチビーム受光器６には赤外線ビームが届かないので、赤外線ビームが届かない赤外線ホトセンサに対応する出力ポートから受光信号は出力されない。
【００１４】
コンテンツ制御装置１０は、図３に示すように、マルチビーム受光器６からの受光信号を所定の検出周期でサンプリングするとともにサンプリングした受光信号のレベルを所定のレベルで「１」、「０」と判定しその結果を一旦保管するレジスタ１１、レジスタ１１に保管された「１」、「０」を出力ポート毎周期毎に記憶される検知テーブル１２、検知テーブル１２のデータを処理するＭＢＳ入力処理部１３、電子カメラ９から入力される画像データを処理するカメラ入力処理部１４、ＭＢＳ入力処理部１３およびカメラ入力処理部１４からの処理結果に基づいてかご内ディスプレイ８に表示するコンテンツを処理する画像表示処理部１５、複数のコンテンツを蓄積されている画像蓄積部１６、および、コンテンツ制御装置１０全体を制御する制御部１７を有する。
【００１５】
レジスタ１１は、マルチビーム受光器６の各出力ポートからの受光信号を検出周期毎にサンプリングする。そして、サンプリングした受光信号を赤外線ホトセンサに赤外線ビームが入射しているときと入射していないときとを区別するために、所定のレベルで受光信号をコンパレータして、入射しているときの「０」、入射していないときの「１」に区別し、その結果を保管する。
【００１６】
図４は、大人が乗り込んだときに検知テーブルに記憶されたデータを説明するための図である。図５は、老人が乗り込んだときに検知テーブルに記憶されたデータを説明するための図である。図４、５において、行が各赤外線ビームに該当し、列が検出周期に該当する。また、黒く塗り潰された欄は赤外線ホトセンサに赤外線ビームが入射しているときと入射していないときを表す。
検知テーブル１２は、行が赤外線ビームの床から上方に向かって水平に通過する赤外線ビームに相当し、列が検出周期毎に相当する。そして、任意の列の欄には、マルチビーム受光器の１９４個の出力ポートから赤外線ホトセンサに赤外線ビームが入射しているとき「０」、赤外線ホトセンサに赤外線ビームが入射していないとき「１」が記憶されている。検出周期は、例えば、０．０５秒である。
そこで、大人が乗り込む場合、床上８０ｃｍ〜１７０ｃｍの赤外線ビームを頭から胴体が遮るので、図４に示すように、検知テーブル１２のその領域に「１」が記憶されている。また、大人は通常１秒間くらいで乗込みを完了するので、検知テーブル１２の１秒に相当する２０周期分に「１」が記憶されている。
【００１７】
逆に、子供が乗り込む場合、床上５０ｃｍ〜１３０ｃｍの赤外線ビームを頭から胴体が遮るので、検知テーブル１２のその領域に「１」が記憶されている。
また、老人は通常３秒間くらいで乗込みを完了するので、図５に示すように、検知テーブル１２の３秒に相当する６０周期分に「１」が記憶されている。
【００１８】
ＭＢＳ入力処理部１３は、検知テーブル１２の列毎に「１」が連続する欄の数を求め、求めた数の内の最大の数に１ｃｍを掛けて身長を算出する。
また、ＭＢＳ入力処理部１３は、検知テーブル１２の行毎に「１」が連続する欄の数を求め、求めた数の内の最大の数に０．０５秒を掛けて移動時間を算出する。
【００１９】
カメラ入力処理部１４は、電子カメラ９から入力された画像データを画像解析し、エレベータかご３の床を乗客が占める占有面積を算出する。
制御部１７は、カメラ入力処理部１４が算出した占有面積が予め定める占有面積閾値以上の場合、大人、子供、老人など多数が乗車していると判断し、通常コンテンツを表示するように画像表示処理部１５に指示する。
また、制御部１７は、ＭＢＳ入力処理部１３が求めた身長が予め定める身長閾値以下の場合、子供が乗車していると判断し、子供向けコンテンツを表示するように画像表示処理部１５に指示する。
また、制御部１７は、ＭＢＳ入力処理部１３が求めた移動時間が予め定める移動時間閾値以上の場合、老人が乗車していると判断し、老人向けコンテンツを表示するように画像表示処理部１５に指示する。
【００２０】
画像表示処理部１５は、制御部１７からの指示に従って画像蓄積部１６からコンテンツを取り出し、かご内ディスプレイ８に表示する。
【００２１】
図６は、この発明の実施の形態に係るエレベータ広告装置でコンテンツを可変する手順を示すフローチャートである。
ステップＳ１０１で、扉が開き始めたか否かを判断し、扉が開き始めたときステップＳ１０２に進み、扉が閉まっているときステップＳ１０１を繰り返す。
ステップＳ１０２で、マルチビーム投光器から赤外線ビームを投光し、マルチビーム受光器で赤外線ビームを受光する。
ステップＳ１０３で、ＭＢＳ検知テーブル１２の列番号Ｌを１に設定する。
ステップＳ１０４で、受光信号が出力されない出力ポートがあるか否か、すなわち人を検知したか否かを判断し、受光信号が出力されない出力ポートがある場合ステップＳ１０５に進み、受光信号が出力されない出力ポートがない場合、ステップＳ１０６に進む。
ステップＳ１０５で、受光信号が出力されない出力ポートを「１」、受光信号が出力されている出力ポートを「０」としてＭＢＳ検知テーブル１２のＬ列に記憶し、列番号Ｌをインクリメントする。
【００２２】
ステップＳ１０６で、電子カメラ９からの画像データを解析して得るかご内占有面積が予め定められた占有面積閾値以上か否かを判断し、かご内占有面積が占有面積閾値以上の場合、ステップＳ１０７に進み、かご内占有面積が占有面積閾値未満の場合、ステップＳ１０９に進む。
ステップＳ１０７で、通常コンテンツをかご内ディスプレイ８に表示し、ステップＳ１０８に進む。
ステップＳ１０８で、扉４が閉じたか否かを判断し、扉４が閉じたときステップＳ１０１に戻り、扉が閉じていないときステップＳ１０２に戻る。
【００２３】
ステップＳ１０９で、ＭＢＳ検知テーブル１２から得た身長が予め定められた身長閾値以下か否かを判断し、身長が身長閾値以下の場合、ステップＳ１１０に進み、身長が身長閾値を超える場合、ステップＳ１１１に進む。
ステップＳ１１０で、子供向けコンテンツをかご内ディスプレイ８に表示し、ステップＳ１０８に進む。
【００２４】
ステップＳ１１１で、ＭＢＳ検知テーブル１２から得た移動時間が予め定められた移動時間閾値以上か否かを判断し、移動時間が移動時間閾値以上の場合、ステップＳ１１２に進み、移動時間が移動時間閾値未満の場合、ステップＳ１１３に進む。
ステップＳ１１２で、老人向けコンテンツをかご内ディスプレイ８に表示し、ステップＳ１０８に進む。
ステップＳ１１３で、通常コンテンツをかご内ディスプレイ８に表示し、ステップＳ１０８に進む。
【００２５】
この発明の実施の形態に係るエレベータ広告装置１では、マルチビームセンサ７から出力される受光信号から乗り込んだ乗客の身長、または移動速度を求め、身長から子供か大人を判定し、移動速度から壮年以下か老人かを判定し、判定結果に基づいてかご内ディスプレイ８に表示するコンテンツを選択するので、乗客にＩＣタグなどの識別媒体を携帯して貰わなくても乗客に対応するコンテンツを広告することができる。
【００２６】
なお、上述の実施の形態では、電子カメラ９が撮影した画像データから多数の人が乗車していることを判断しているが、秤装置により乗車人数を判断しても良い。
また、老人、子供または大人の判定回数、時間帯を記録し、子供または老人と判定されないケースでも、老人または子供が多い時間帯の場合、老人向けまたは子供向けのコンテンツを表示しても良い。
【符号の説明】
【００２７】
１  エレベータ広告装置、２  エレベータ制御装置、３  エレベータかご、４  扉、４ａ、４ｂ  戸、５  マルチビーム投光器、６  マルチビーム受光器、７  マルチビームセンサ、８  かご内ディスプレイ、９  電子カメラ、１０  コンテンツ制御装置、１１  レジスタ、１２  ＭＢＳ検知テーブル、１３  ＭＢＳ入力処理部、１４  カメラ入力処理部、１５  画像表示処理部、１６  画像蓄積部、１７  制御部。
【図１】
2011020821.tif 000003
【図２】
2011020821.tif 000004
【図３】
2011020821.tif 000005
【図４】
2011020821.tif 000006
【図５】
2011020821.tif 000007
【図６】
2011020821.tif 000008